【手続補正書】
【提出日】平成19年10月11日(2007.10.11)
【手続補正１】
【補正対象書類名】明細書
【補正対象項目名】発明の名称
【補正方法】変更
【補正の内容】
【発明の名称】情報処理装置、分散印刷システム、分散印刷制御方法、コンピュータプログラム、及びコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】  複数のページからなる印刷文書を、ネットワークに接続された複数の印刷装置で分散して印刷するように制御する情報処理装置において、
前記複数の印刷装置の機能に関する印刷装置機能情報、及び前記複数のページからなる印刷文書のページ単位のオブジェクト情報に基づいて、各印刷装置で使用するプリンタドライバに対応させて印刷データを生成する印刷データ生成手段と、
前記印刷データ生成手段により生成した各印刷装置に対応する印刷データをそれぞれの印刷装置で印刷すべく出力する印刷データ出力手段とを有し、
前記ネットワークに接続された複数の印刷装置にて前記複数のページからなる印刷文書を分散印刷するようにしたことを特徴とする情報処理装置。
【請求項２】  前記複数の印刷装置の機能に関する情報をユーザーが入力するための印刷装置情報入力手段を有することを特徴とする請求項１に記載の情報処理装置。
【請求項３】  前記複数の印刷装置の機能に関する情報をネットワーク上から収集して入力する印刷装置情報入力手段を有することを特徴とする請求項１に記載の情報処理装置。
【請求項４】  前記印刷データ生成手段により生成される印刷データはページ記述言語によって生成されることを特徴とする請求項１〜３の何れか１項に記載の情報処理装置。
【請求項５】  前記印刷データ生成手段は、前記複数のページからなる印刷文書のうち、モノクロページはモノクロ印刷装置で印刷するように、カラーページはカラー印刷装置で印刷するように、前記ページ記述言語による印刷データを生成することを特徴とする請求項４に記載の情報処理装置。
【請求項６】  前記モノクロ印刷装置向けのページ記述言語データと、前記カラー印刷装置向けのページ記述言語データと、ページ情報とを１つのジョブとして、前記ネットワーク上に接続された分散サーバに出力する分散印刷制御手段を有することを特徴とする請求項５に記載の情報処理装置。
【請求項７】  請求項１〜６の何れか１項に記載の情報処理装置と、少なくとも１つ以上のモノクロ印刷装置と、少なくとも１つ以上のカラー印刷装置とを有することを特徴とする分散印刷システム。
【請求項８】  複数のページからなる印刷文書を、ネットワークに接続された複数の印刷装置で分散して印刷する分散印刷制御方法において、
前記複数の印刷装置の機能に関する印刷装置機能情報、及び前記複数のページからなる印刷文書のページ単位のオブジェクト情報に基づいて、各印刷装置で使用するプリンタドライバに対応させて印刷データを生成する印刷データ生成処理と、
前記印刷データ生成処理により生成した各印刷装置に対応する印刷データをそれぞれの印刷装置で印刷すべく出力するための印刷データ出力処理とを行い、
前記ネットワークに接続された複数の印刷装置にて前記複数のページからなる印刷文書が分散印刷されるようにしたことを特徴とする分散印刷制御方法。
【請求項９】  前記複数の印刷装置の機能に関する情報をユーザーが入力するための印刷装置情報入力処理を行うことを特徴とする請求項８に記載の分散印刷制御方法。
【請求項１０】  前記複数の印刷装置の機能に関する情報をネットワーク上から収集して入力する印刷装置情報入力処理を行うことを特徴とする請求項８に記載の分散印刷制御方法。
【請求項１１】  前記印刷データ生成処理により生成される印刷データはページ記述言語によって生成されることを特徴とする請求項８〜１０の何れか１項に記載の分散印刷制御方法。
【請求項１２】  前記印刷データ生成処理において、前記複数のページからなる印刷文書のうち、モノクロページはモノクロ印刷装置で印刷するように、カラーページはカラー印刷装置で印刷するように、前記ページ記述言語による印刷データを生成することを特徴とする請求項１１に記載の分散印刷制御方法。
【請求項１３】  前記モノクロ印刷装置向けのページ記述言語データと、前記カラーページはカラー印刷装置向けのページ記述言語データと、ページ情報とを１つのジョブとして、前記ネットワーク上に接続された分散サーバに出力するための分散印刷制御処理を行うことを特徴とする請求項１２に記載の分散印刷制御方法。
【請求項１４】  請求項８〜１３の何れか１項に記載の分散印刷制御方法の各処理をコンピュータに実行させることを特徴とするコンピュータプログラム。
【請求項１５】  請求項１４に記載のコンピュータプログラムを記憶したことを特徴とするコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は情報処理装置、分散印刷システム、分散印刷制御方法、コンピュータプログラム、及びコンピュータ読み取り可能な記憶媒体に関し、特に、複数のページからなる文書データを、複数の印刷装置を用いて分散して印刷を行うために用いて好適なものである。
【手続補正４】
【補正対象書類名】明細書
【補正対象項目名】００１０
【補正方法】変更
【補正の内容】
【００１０】
【課題を解決するための手段】
本発明の情報処理装置は、複数のページからなる印刷文書を、ネットワークに接続された複数の印刷装置で分散して印刷するように制御する情報処理装置において、前記複数の印刷装置の機能に関する印刷装置機能情報、及び前記複数のページからなる印刷文書のページ単位のオブジェクト情報に基づいて、各印刷装置で使用するプリンタドライバに対応させて印刷データを生成する印刷データ生成手段と、前記印刷データ生成手段により生成した各印刷装置に対応する印刷データをそれぞれの印刷装置で印刷すべく出力する印刷データ出力手段とを有し、前記ネットワークに接続された複数の印刷装置にて前記複数のページからなる印刷文書を分散印刷するようにしたことを特徴とする。
【手続補正５】
【補正対象書類名】明細書
【補正対象項目名】００１２
【補正方法】変更
【補正の内容】
【００１２】
本発明の分散印刷制御方法は、複数のページからなる印刷文書を、ネットワークに接続された複数の印刷装置で分散して印刷する分散印刷制御方法において、前記複数の印刷装置の機能に関する印刷装置機能情報、及び前記複数のページからなる印刷文書のページ単位のオブジェクト情報に基づいて、各印刷装置で使用するプリンタドライバに対応させて印刷データを生成する印刷データ生成処理と、前記印刷データ生成処理により生成した各印刷装置に対応する印刷データをそれぞれの印刷装置で印刷すべく出力するための印刷データ出力処理とを行い、前記ネットワークに接続された複数の印刷装置にて前記複数のページからなる印刷文書が分散印刷されるようにしたことを特徴とする。
【手続補正６】
【補正対象書類名】明細書
【補正対象項目名】００１３
【補正方法】変更
【補正の内容】
【００１３】
本発明のコンピュータプログラムは、前記分散印刷制御方法の各処理をコンピュータに実行させることを特徴とする。
【手続補正７】
【補正対象書類名】明細書
【補正対象項目名】００１４
【補正方法】変更
【補正の内容】
【００１４】
本発明のコンピュータ読み取り可能な記憶媒体は、前記コンピュータプログラムを記憶したことを特徴とする。
【手続補正８】
【補正対象書類名】明細書
【補正対象項目名】００１５
【補正方法】変更
【補正の内容】
【００１５】
【発明の実施の形態】
以下、添付図面を参照して、本発明の情報処理装置、分散印刷システム、分散印刷制御方法、コンピュータプログラム、及びコンピュータ読み取り可能な記憶媒体の実施の形態について詳細に説明する。
まず、本発明に係る分散印刷システムの第１の実施の形態に適用するのに好適なカラーレーザプリンタとクライアントＰＣ（本発明の情報処理装置に相当する。）の構成を、図１〜３を参照しながら説明する。なお、ここでは、カラー印刷を行うカラーレーザプリンタについて説明するが、モノクロプリンタについてもその構成はカラーレーザプリンタの印刷色を黒一色に限定したものに等しいので、その説明については省略する。また、適用するカラープリンタは、カラーレーザプリンタに限られるものではなく、インクジェットプリンタやＬＥＤプリンタ等、他のプリント方式のものであっても良いことは言うまでもない。